(57)【要約】  移動局と、前記移動局と通信を行う基地局装置とを具備する無線通信システムにおいて、前記基地局装置は、移動局に一定周期毎に無線リソースを割り当てるスケジューリング方式を適用し、前記移動局は、前記無線リソースの割り当てにしたがって、前記基地局装置に第１の信号を送信する。前記基地局装置は、前記第１の信号を復号する復号手段；前記第１の信号を正常に受信しなかった場合に、前記第１の信号の再送のための制御信号を前記移動局に送信する手段；を備える。
2008120544.tif 000002
【特許請求の範囲】
【請求項１】
移動局と、前記移動局と通信を行う基地局装置とを具備する無線通信システムにおける基地局装置であって：
前記基地局装置は、移動局に一定周期毎に無線リソースを割り当てるスケジューリング方式を適用し、前記移動局は、前記無線リソースの割り当てにしたがって、前記基地局装置に第１の信号を送信し、
前記第１の信号を復号する復号手段；
前記第１の信号を正常に受信しなかった場合に、前記第１の信号の再送のための制御信号を前記移動局に送信する手段；
を備えることを特徴とする基地局装置。
【請求項２】
請求項１に記載の基地局装置において：
前記制御信号は、下りリンクの制御チャネルにマッピングされるＵｐｌｉｎｋ  Ｓｃｈｅｄｕｌｉｎｇ  Ｇｒａｎｔであることを特徴とする基地局装置。
【請求項３】
請求項２に記載の基地局装置において：
前記Ｕｐｌｉｎｋ  Ｓｃｈｅｄｕｌｉｎｇ  Ｇｒａｎｔは、上りリンクの周波数リソースの割り当て情報、識別情報、データサイズ、変調方式、送信電力の少なくとも１つを示す信号を含むことを特徴とする基地局装置。
【請求項４】
移動局と、前記移動局と通信を行う基地局装置とを具備する無線通信システムにおける移動局であって：
前記基地局装置は、移動局に一定周期毎に無線リソースを割り当てるスケジューリング方式を適用し、
前記無線リソースの割り当てにしたがって、前記基地局装置に第１の信号を送信する手段；
前記基地局装置から、前記第１の信号の再送のための制御信号を受信した場合に、前記第１の信号を再送する手段；
を備えることを特徴とする移動局。
【請求項５】
請求項４に記載の移動局において：
前記制御信号は、下りリンクの制御チャネルにマッピングされるＵｐｌｉｎｋ  Ｓｃｈｅｄｕｌｉｎｇ  Ｇｒａｎｔであることを特徴とする移動局。
【請求項６】
請求項５に記載の移動局において：
前記Ｕｐｌｉｎｋ  Ｓｃｈｅｄｕｌｉｎｇ  Ｇｒａｎｔは、上りリンクのリソースブロックの割り当て情報、識別情報、データサイズ、変調方式、送信電力の少なくとも１つを示す信号を含むことを特徴とする移動局。
【請求項７】
移動局と、前記移動局と通信を行う基地局装置とを具備する無線通信システムであって：
前記基地局装置は、移動局に一定周期毎に無線リソースを割り当てるスケジューリング方式を適用し、
前記移動局は、
前記無線リソースの割り当てにしたがって、前記基地局装置に第１の信号を送信する手段；
前記基地局装置から、前記第１の信号の再送のための制御信号を受信した場合に、前記第１の信号を再送する手段；
を備え、
前記基地局装置は、
前記第１の信号を復号する復号手段；
前記第１の信号を正常に受信しなかった場合に、前記第１の信号の再送のための制御信号を前記移動局に送信する手段；
備えることを特徴とする無線通信システム
【請求項８】
移動局と、前記移動局と通信を行う基地局装置とを具備する無線通信システムにおける通信制御方法であって：
前記基地局装置は、移動局に一定周期毎に無線リソースを割り当てるスケジューリング方式を適用し、
前記移動局が、前記無線リソースの割り当てにしたがって、前記基地局装置に第１の信号を送信する第１ステップ；
前記基地局装置が、前記第１の信号を復号する第２ステップ；
前記基地局装置が、前記第１の信号を正常に受信しなかった場合に、前記第１の信号の再送のための制御信号を前記移動局に送信する第３ステップ；
前記移動局が、前記制御信号に基づいて、前記第１の信号を再送する第４ステップ；
を備えることを特徴とする通信制御方法。
【発明の詳細な説明】
【技術分野】
【０００１】
本発明は、無線通信システムに関し、特に基地局装置、移動局及び無線通信システム並びに通信制御方法に関する。
【背景技術】
【０００２】
Ｗ−ＣＤＭＡやＨＳＤＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。【０００５】
ＬＴＥは、上りリンク、下りリンクともに１つないし２つ以上の物理チャネルを複数の移動局で共有して通信を行うシステムである。上記複数の移動局で共有されるチャネルは、一般に共有チャネルと呼ばれ、ＬＴＥにおいては、上りリンクにおいては物理上りリンク共有チャネル（Ｐｈｙｓｉｃａｌ  Ｕｐｌｉｎｋ  Ｓｈａｒｅｄ  Ｃｈａｎｎｅｌ  ：ＰＵＳＣＨ）であり、下りリンクにおいては物理下りリンク共有チャネル（Ｐｈｙｓｉｃａｌ  Ｄｏｗｎｌｉｎｋ  Ｓｈａｒｅｄ  Ｃｈａｎｎｅｌ：  ＰＤＳＣＨ）である。また、上記共有チャネルは、トランスポートチャネルとしては、上りリンクにおいてはＵＬ−ＳＣＨ（Ｕｐｌｉｎｋ  Ｓｈａｒｅｄ  Ｃｈａｎｎｅｌ）であり、下りリンクにおいてはＤＬ−ＳＣＨ（Ｄｏｗｎｌｉｎｋ  Ｓｈａｒｅｄ  Ｃｈａｎｎｅｌ）である。【０００６】
そして、上述したような共有チャネルを用いた通信システムにおいては、サブフレーム（Ｓｕｂ−ｆｒａｍｅ）（ＬＴＥでは１ｍｓ。ＴＴＩ（Ｔｒａｎｓｍｉｓｓｉｏｎ  Ｔｉｍｅ  Ｉｎｔｅｒｖａｌ）と呼ばれてもよい）毎に、どの移動局に対して上記共有チャネルを割り当てるかをシグナリングする必要があり、上記シグナリングのために用いられる制御チャネルは、ＬＴＥでは、物理下りリンク制御チャネル（Ｐｈｙｓｉｃａｌ  Ｄｏｗｎｌｉｎｋ  Ｃｏｎｔｒｏｌ  Ｃｈａｎｎｅｌ）または、Ｄｏｗｎｌｉｎｋ  Ｌ１／Ｌ２  Ｃｏｎｔｒｏｌ  Ｃｈａｎｎｅｌ（ＤＬ  Ｌ１／Ｌ２  Ｃｏｎｔｒｏｌ  Ｃｈａｎｎｅｌ）と呼ばれる。また、物理下りリンク制御チャネルは、送信電力制御用のコマンドや上りリンクの共有チャネルに対する送達確認情報等の通知のためにも用いられる。【０００７】
上記物理下りリンク制御チャネルの情報には、例えば、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ）、ダウンリンクスケジューリングインフォメーション（Ｄｏｗｎｌｉｎｋ Ｓｃｈｅｄｕｌｉｎｇ Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が含まれる（例えば、非特許文献２参照）。上記ダウンリンクＬ１／Ｌ２制御チャネルフォーマットインジケータは、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ（ＰＣＦＩＣＨ）とも呼ばれる。上記Ａｃｋｎｏｗｌｅｄｇｅｍｅｎｔ  ｉｎｆｏｒｍａｔｉｏｎ（ＡＣＫ／ＮＡＣＫ）は、Ｐｈｙｓｉｃａｌ  Ｈｙｂｒｉｄ ＡＲＱ  Ｉｎｄｉｃａｔｏｒ  Ｃｈａｎｎｅｌ（ＰＨＩＣＨ）とも呼ばれる。上記ＰＣＦＩＣＨやＰＨＩＣＨは、上記ＰＤＣＣＨに含まれるのではなく、上記ＰＤＣＣＨとは並列の関係にある、異なる物理チャネルとして定義されてもよい。【０００８】
また、上記Ｄｏｗｎｌｉｎｋ  Ｓｃｈｅｄｕｌｉｎｇ  Ｉｎｆｏｒｍａｔｉｏｎには、例えば、下りリンクの共有チャネルに関する、下りリンクのリソースブロック（Ｒｅｓｏｕｒｃｅ  Ｂｌｏｃｋ）の割り当て情報、ＵＥのＩＤ、ストリームの数、プリコーディングベクトル（Ｐｒｅｃｏｄｉｎｇ  Ｖｅｃｔｏｒ）に関する情報、データサイズ、変調方式、ＨＡＲＱ（ｈｙｂｒｉｄ  ａｕｔｏｍａｔｉｃ  ｒｅｐｅａｔ  ｒｅｑｕｅｓｔ）に関する情報等が含まれる。上記Ｄｏｗｎｌｉｎｋ  Ｓｃｈｅｄｕｌｉｎｇ  Ｉｎｆｏｒｍａｔｉｏｎは、Ｄｏｗｎｌｉｎｋ  Ａｓｓｉｇｎｍｅｎｔ  ＩｎｆｏｒｍａｔｉｏｎまたはＤｏｗｎｌｉｎｋ  Ｓｃｈｅｄｕｌｉｎｇ  Ｇｒａｎｔと呼ばれてもよい。また、上記Ｕｐｌｉｎｋ  Ｓｃｈｅｄｕｌｉｎｇ  Ｇｒａｎｔには、例えば、上りリンクの共有チャネルに関する、上りリンクのＲｅｓｏｕｒｃｅ  Ｂｌｏｃｋの割り当て情報、ＵＥのＩＤ、データサイズ、変調方式、上りリンクの送信電力情報、Ｕｐｌｉｎｋ  ＭＩＭＯにおけるデモジュレーションレファレンスシグナル（Ｄｅｍｏｄｕｌａｔｉｏｎ  Ｒｅｆｅｒｅｎｃｅ  Ｓｉｇｎａｌ）の情報等が含まれる。上記Ｄｏｗｎｌｉｎｋ  Ｓｃｈｅｄｕｌｉｎｇ  ＩｎｆｏｒｍａｔｉｏｎやＵｐｌｉｎｋ  Ｓｃｈｅｄｕｌｉｎｇ  Ｇｒａｎｔは、まとめてＤｏｗｎｌｉｎｋ  Ｃｏｎｔｒｏｌ  Ｉｎｆｏｒｍａｔｉｏｎ（ＤＣＩ）と呼ばれてもよい。【０００９】
また、ＬＴＥでは、上述した共有チャネルを用いた通信において、ＭＡＣ  ｌａｙｅｒにおいてＨＡＲＱが適用される。例えば、下りリンクに関しては、移動局は、下りリンクの共有チャネルの復号を行い、その復号結果（ＣＲＣ  ｃｈｅｃｋ結果）に基づいた送達確認情報Ａｃｋｎｏｗｌｅｄｇｅｍｅｎｔ  ｉｎｆｏｒｍａｔｉｏｎを上りリンクの制御チャネルを用いて、基地局装置に送信する。そして、基地局装置は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。一方、上りリンクに関しては、基地局装置は、上りリンクの共有チャネルの復号を行い、その復号結果（ＣＲＣ  ｃｈｅｃｋ結果）に基づいた送達確認情報Ａｃｋｎｏｗｌｅｄｇｅｍｅｎｔ  ｉｎｆｏｒｍａｔｉｏｎを下りリンクの制御チャネルを用いて、移動局に送信する。そして、移動局は、送達確認情報の内容に応じて再送制御を行う。送達確認情報の内容は、送信信号が適切に受信されたことを示す肯定応答(ＡＣＫ)又はそれが適切に受信されなかったことを示す否定応答(ＮＡＣＫ)の何れかで表現される。【００１０】
図１に、上りリンクにおけるＨＡＲＱの処理の一例を示す。１９０２（サブフレーム＃ｉ）（ｉは、ｉ>０の整数）において、基地局装置は、物理下りリンク制御チャネルにおけるＵｐｌｉｎｋ  Ｓｃｈｅｄｕｌｉｎｇ  Ｇｒａｎｔを用いて、移動局に、サブフレーム＃ｉ＋３において、上りリンクの共有チャネルを用いた通信を行うことを指示する。そして、１９０４（サブフレーム番号＃ｉ＋３）において、移動局は、基地局装置に対して、上りリンクの共有チャネルを送信し、基地局装置は、上記上りリンクの共有チャネルを受信し、復号を試みる。【００１１】
そして、１９０６（サブフレーム＃ｉ＋６）において、基地局装置は、上記復号結果に基づいて、送達確認情報であるＡｃｋｎｏｗｌｅｄｇｅｍｅｎｔ  ｉｎｆｏｒｍａｔｉｏｎを移動局に送信する。上記Ａｃｋｎｏｗｌｅｄｇｅｍｅｎｔ  ｉｎｆｏｒｍａｔｉｏｎがＮＡＣＫであった場合には、移動局は、サブフレーム＃ｉ＋９において、上りリンクの共有チャネルを再送する（１９０８）。上述した、上りリンクにおけるＨＡＲＱにおいて、送達確認情報を送信するための下りリンクの制御チャネルは、上述した物理下りリンク制御チャネルの情報の１つであるＡｃｋｎｏｗｌｅｄｇｅｍｅｎｔ  ｉｎｆｏｒｍａｔｉｏｎのことである。ここで、例えば、上述したＡｃｋｎｏｗｌｅｄｇｅｍｅｎｔ  ｉｎｆｏｒｍａｔｉｏｎがどの移動局に対しての信号であるかは、上述した物理下りリンク制御チャネルにおけるＵｐｌｉｎｋ  Ｓｃｈｅｄｕｌｉｎｇ  Ｇｒａｎｔがどの移動局に対して送信されたかに基づいて識別することが検討されている。すなわち、上記Ａｃｋｎｏｗｌｅｄｇｅｍｅｎｔ  ｉｎｆｏｒｍａｔｉｏｎと、上記物理下りリンク制御チャネルにおけるＵｐｌｉｎｋ  Ｓｃｈｅｄｕｌｉｎｇ  Ｇｒａｎｔのそれぞれに番号を付与し、そのＡｃｋｎｏｗｌｅｄｇｅｍｅｎｔ  ｉｎｆｏｒｍａｔｉｏｎの番号と、上記物理下りリンク制御チャネルにおけるＵｐｌｉｎｋ  Ｓｃｈｅｄｕｌｉｎｇ  Ｇｒａｎｔの番号を１対１対応させることにより、上記Ａｃｋｎｏｗｌｅｄｇｅｍｅｎｔ  ｉｎｆｏｒｍａｔｉｏｎが、どの移動局に対しての信号であるかを識別することが検討されている。【００１２】
図１の時間関係を示す説明図を用いて説明すると、基地局装置は、１９０２において、物理下りリンク制御チャネルにおける番号nのＵｐｌｉｎｋ  Ｓｃｈｅｄｕｌｉｎｇ  Ｇｒａｎｔを送信したＵＥに対しては、１９０６において、番号nのＡｃｋｎｏｗｌｅｄｇｅｍｅｎｔ  ｉｎｆｏｒｍａｔｉｏｎを当該ＵＥに送信する。ここで、上述した番号は、例えば、Ａｃｋｎｏｗｌｅｄｇｅｍｅｎｔ  ｉｎｆｏｒｍａｔｉｏｎやＵｐｌｉｎｋ  Ｓｃｈｅｄｕｌｉｎｇ  Ｇｒａｎｔがマッピングされるサブキャリアや、ＯＦＤＭシンボル、あるいは、リソースの番号により決定される（例えば、非特許文献３参照）。【００１３】
ところで、ＬＴＥでは、ＶｏＩＰやストリーミング等の、ある程度、一定の伝送速度となるユーザデータに対しては、ダイナミックに無線リソースを割り当てることにより、高効率化を図るベストエフォート型のスケジューリング方式ではなく、一定周期毎に無線リソースを割り当てるスケジューリング方式が提案されている（例えば、非特許文献４参照）。このスケジューリング方式は、例えば、パーシステントスケジューリング（Ｐｅｒｓｉｓｔｅｎｔ  Ｓｃｈｅｄｕｌｉｎｇ）と呼ばれる。【００１４】
以下では、パーシステントスケジューリングが適用されるユーザデータに関する、上りリンクのＨＡＲＱに関して説明を行う。【００１５】
パーシステントスケジューリングが適用されるユーザデータに対しては、一定周期毎に無線リソースが割り当てられ、かつ、割り当てられる無線リソースおよび送信フォーマットは、事前に、ＲＲＣ  ｍｅｓｓａｇｅ等により指定されることが検討されている。この場合、無線リソース及び送信フォーマットを、物理下りリンク制御チャネルにおけるＵｐｌｉｎｋ  Ｓｃｈｅｄｕｌｉｎｇ  Ｇｒａｎｔにより指定する必要がないため、Ｕｐｌｉｎｋ  Ｓｃｈｅｄｕｌｉｎｇ  Ｇｒａｎｔは、上記パーシステントスケジューリングが適用されるユーザデータに対して送信されない。よって、結果として、上述した、そのＡｃｋｎｏｗｌｅｄｇｅｍｅｎｔ  ｉｎｆｏｒｍａｔｉｏｎの番号と、上記物理下りリンク制御チャネルにおけるＵｐｌｉｎｋ  Ｓｃｈｅｄｕｌｉｎｇ  Ｇｒａｎｔの番号を１対１対応させることにより、上記Ａｃｋｎｏｗｌｅｄｇｅｍｅｎｔ  ｉｎｆｏｒｍａｔｉｏｎが、どの移動局に対しての信号であるかを識別する、という方法を適用することができない、という問題が生じる。
【非特許文献１】3GPP TR 25.814 (V7.0.0), "Physical Layer Aspects for Evolved UTRA," June 2006
【非特許文献２】R1-070103, Downlink L1/L2 Control Signaling Channel Structure: Coding
【非特許文献３】R1-070105, ACK/NACK Signal Structure in E-UTRA Downlink, January 2007
【非特許文献４】R1-060099, Persistent Scheduling for E-UTRA, January, 2006
【発明の開示】
【発明が解決しようとする課題】
【００１６】
しかしながら、上述した背景技術には以下の問題がある。【００１７】
上述したように、パーシステントスケジューリングが適用されるユーザデータに対しては、Ｕｐｌｉｎｋ  Ｓｃｈｅｄｕｌｉｎｇ  Ｇｒａｎｔが送信されない。この場合、上述したような、送達確認情報であるＡｃｋｎｏｗｌｅｄｇｅｍｅｎｔ  ｉｎｆｏｒｍａｔｉｏｎの番号と、上記物理下りリンク制御チャネルにおけるＵｐｌｉｎｋ  Ｓｃｈｅｄｕｌｉｎｇ  Ｇｒａｎｔの番号を１対１対応させる方法を適用することができないため、基地局装置は、当該移動局に対して、パーシステントスケジューリングが適用されるユーザデータに対する送達確認情報Ａｃｋｎｏｗｌｅｄｇｅｍｅｎｔ  ｉｎｆｏｒｍａｔｉｏｎを送信できないことになる。【００１８】
そこで、本発明は、上述した課題に鑑み、その目的は、パーシステントスケジューリングが適用されるユーザデータに対して、効率良く、ＨＡＲＱの処理を行うことのできる基地局装置、移動局及び無線通信システム並びに通信制御方法を提供することにある。
【課題を解決するための手段】
【００１９】
上記課題を解決するため、本発明の基地局装置は、
移動局と、前記移動局と通信を行う基地局装置とを具備する無線通信システムにおける基地局装置であって：
前記基地局装置は、移動局に一定周期毎に無線リソースを割り当てるスケジューリング方式を適用し、前記移動局は、前記無線リソースの割り当てにしたがって、前記基地局装置に第１の信号を送信し、
前記第１の信号を復号する復号手段；
前記第１の信号を正常に受信しなかった場合に、前記第１の信号の再送のための制御信号を前記移動局に送信する手段；
備えることを特徴の１つとする。【００２０】
本発明の移動局は、
移動局と、前記移動局と通信を行う基地局装置とを具備する無線通信システムにおける移動局であって：
前記基地局装置は、移動局に一定周期毎に無線リソースを割り当てるスケジューリング方式を適用し、
前記無線リソースの割り当てにしたがって、前記基地局装置に第１の信号を送信する手段；
前記基地局装置から、前記第１の信号の再送のための制御信号を受信した場合に、前記第１の信号を再送する手段；
を備えることを特徴の１つとする。【００２１】
本発明の無線通信システムは、
移動局と、前記移動局と通信を行う基地局装置とを具備する無線通信システムであって：
前記基地局装置は、移動局に一定周期毎に無線リソースを割り当てるスケジューリング方式を適用し、
前記移動局は、
前記無線リソースの割り当てにしたがって、前記基地局装置に第１の信号を送信する手段；
前記基地局装置から、前記第１の信号の再送のための制御信号を受信した場合に、前記第１の信号を再送する手段；
を備え、
前記基地局装置は、
前記第１の信号を復号する復号手段；
前記第１の信号を正常に受信しなかった場合に、前記第１の信号の再送のための制御信号を前記移動局に送信する手段；
備えることを特徴の１つとする。【００２２】
本発明の通信制御方法は、
移動局と、前記移動局と通信を行う基地局装置とを具備する無線通信システムにおける通信制御方法であって：
前記基地局装置は、移動局に一定周期毎に無線リソースを割り当てるスケジューリング方式を適用し、
前記移動局が、前記無線リソースの割り当てにしたがって、前記基地局装置に第１の信号を送信する第１ステップ；
前記基地局装置が、前記第１の信号を復号する第２ステップ；
前記基地局装置が、前記第１の信号を正常に受信しなかった場合に、前記第１の信号の再送のための制御信号を前記移動局に送信する第３ステップ；
前記移動局が、前記制御信号に基づいて、前記第１の信号を再送する第４ステップ；
備えることを特徴の１つとする。
【発明の効果】
【００２３】
本発明の実施例によれば、パーシステントスケジューリングが適用されるユーザデータに対して、効率が良く、ＨＡＲＱの処理を行うことのできる基地局装置、移動局及び無線通信システム並びに通信制御方法を実現することができる。
【図面の簡単な説明】
【００２４】
【図１】上りリンクのＨＡＲＱにおける、移動局と基地局装置の処理の時間関係を示す説明図である。
【図２】本発明の実施例に係る無線通信システムの構成を示すブロック図である。
【図３】物理下りリンク制御チャネルにおけるＵＬ  Ｓｃｈｅｄｕｌｉｎｇ  Ｇｒａｎｔの構成の一例及びチャネル符号化処理後のＵＬ  Ｓｃｈｅｄｕｌｉｎｇ  Ｇｒａｎｔを示す説明図である。
【図４】本発明の一実施例に係るパーシステントスケジューリングが適用されるユーザデータのＨＡＲＱ処理における、移動局と基地局装置の処理を示す説明図である。
【図５】本発明の一実施例に係るパーシステントスケジューリングが適用されるユーザデータのＨＡＲＱ処理における、移動局と基地局装置の処理を示す説明図である。
【図６】本発明の一実施例に係る移動局を示す部分ブロック図である。
【図７】本発明の一実施例に係る移動局のベースバンド信号処理部を示す部分ブロック図である。
【図８】本発明の一実施例に係る基地局装置を示す部分ブロック図である。
【図９】本発明の一実施例に係る基地局装置のベースバンド信号処理部を示す部分ブロック図である。
【図１０】本発明の一実施例に係る移動局における通信制御方法を示すフロー図である。
【図１１】本発明の一実施例に係る基地局装置における通信制御方法を示すフロー図である。
【符号の説明】
【００２５】
５０  セル
１００１、１００２、１００３、１００ｎ  移動局
１０２  送受信アンテナ
１０４  アンプ部
１０６  送受信部
１０８  ベースバンド処理部
１１０  アプリケーション部
１０８１  レイヤー１処理部
１０８２  ＭＡＣ処理部
１０８３  ＲＬＣ処理部／バッファ部
２００  基地局装置
２０２  送受信アンテナ
２０４  アンプ部
２０６  送受信部
２０８  ベースバンド信号処理部
２１０  呼処理部
２１２  伝送路インターフェース
２０８１  レイヤー１処理部
２０８２  ＭＡＣ処理部
２０８３  ＲＬＣ処理部
３００  アクセスゲートウェイ装置
４００  コアネットワーク
【発明を実施するための最良の形態】
【００２６】
以下、本発明の実施例を、図面を参照しつつ説明する。実施例を説明するための全図において、同一機能を有するものは同一符号を用い、繰り返しの説明は省略する。【００２７】
図２を参照しながら、本発明の実施例に係る移動局及び基地局装置を有する無線通信システムについて説明する。【００２８】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００と、基地局装置２００と通信する複数の移動局１００ｎ（１００１、１００２、１００３、・・・１００ｎ、ｎはｎ>０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０において基地局装置２００とＥｖｏｌｖｅｄ  ＵＴＲＡ  ａｎｄ  ＵＴＲＡＮにより通信を行っている。【００２９】
各移動局（１００１、１００２、１００３、・・・１００ｎ）は、同一の構成、機能、状態を有するので、以下では特段の断りがない限り移動局１００ｎとして説明を進める。説明の便宜上、基地局装置と無線通信するのは移動局であるが、より一般的には移動端末も固定端末も含むユーザ装置（ＵＥ：  Ｕｓｅｒ  Ｅｑｕｉｐｍｅｎｔ）でよい。【００３０】
無線通信システム１０００では、無線アクセス方式として、下りリンクについてはＯＦＤＭ（直交周波数分割多元接続）が、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。【００３１】
ここで、Ｅｖｏｌｖｅｄ  ＵＴＲＡ  ａｎｄ  ＵＴＲＡＮにおける通信チャネルについて説明する。【００３２】
下りリンクについては、各移動局１００ｎで共有される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、物理下りリンク制御チャネル(ＰＤＣＣＨ：  Ｐｈｙｓｉｃａｌ  Ｄｏｗｎｌｉｎｋｇ  Ｃｏｎｔｒｏｌ  Ｃｈａｎｎｅｌ)とが用いられる。物理下りリンク制御チャネルは下りＬ１／Ｌ２制御チャネルとも呼ばれる。上記物理下りリンク共有チャネルにより、ユーザデータが伝送される。また、物理下りリンク制御チャネルにより、ダウンリンクＬ１／Ｌ２制御チャネルフォーマットインジケータ（ＤＬ  Ｌ１／Ｌ２  Ｃｏｎｔｒｏｌ  Ｃｈａｎｎｅｌ  Ｆｏｒｍａｔ  Ｉｎｄｉｃａｔｏｒ）、ダウンリンクスケジューリングインフォメーション（Ｄｏｗｎｌｉｎｋ  Ｓｃｈｅｄｕｌｉｎｇ  Ｉｎｆｏｒｍａｔｉｏｎ）、Ａｃｋｎｏｗｌｅｄｇｅｍｅｎｔ  ｉｎｆｏｒｍａｔｉｏｎ（ＡＣＫ／ＮＡＣＫ）、アップリンクスケジューリンググラント（Ｕｐｌｉｎｋ  Ｓｃｈｅｄｕｌｉｎｇ  Ｇｒａｎｔ）、オーバロードインジケータ（Ｏｖｅｒｌｏａｄ  Ｉｎｄｉｃａｔｏｒ）、送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）等が伝送される。上記ダウンリンクＬ１／Ｌ２制御チャネルフォーマットインジケータは、Ｐｈｙｓｉｃａｌ  Ｃｏｎｔｒｏｌ  Ｆｏｒｍａｔ  Ｉｎｄｉｃａｔｏｒ  Ｃｈａｎｎｅｌ（ＰＣＦＩＣＨ）と呼ばれてもよい。【００３３】
Ｄｏｗｎｌｉｎｋ  Ｓｃｈｅｄｕｌｉｎｇ  Ｉｎｆｏｒｍａｔｉｏｎには、例えば、物理下りリンク共有チャネルを用いて通信を行うユーザのＩＤや、そのユーザデータのトランスポートフォーマットの情報、すなわち、データサイズ、変調方式、ＨＡＲＱに関する情報や、下りリンクのリソースブロックの割り当て情報等が含まれる。【００３４】
また、Ｕｐｌｉｎｋ  Ｓｃｈｅｄｕｌｉｎｇ  Ｇｒａｎｔには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報等が含まれる。ここで、上りリンクのリソースブロックとは、周波数リソースに相当し、リソースユニットとも呼ばれる。【００３５】
上記Ｄｏｗｎｌｉｎｋ  Ｓｃｈｅｄｕｌｉｎｇ  ＩｎｆｏｒｍａｔｉｏｎとＵｐｌｉｎｋ  Ｓｃｈｅｄｕｌｉｎｇ  Ｇｒａｎｔは、まとめてＤｏｗｎｌｉｎｋ  Ｃｏｎｔｒｏｌ  Ｉｎｆｏｒｍａｔｉｏｎ（ＤＣＩ）と呼ばれてもよい。【００３６】
また、Ａｃｋｎｏｗｌｅｄｇｅｍｅｎｔ  ｉｎｆｏｒｍａｔｉｏｎ（ＡＣＫ／ＮＡＣＫ）とは、上りリンクの共有チャネルに関する送達確認情報のことである。上記Ａｃｋｎｏｗｌｅｄｇｅｍｅｎｔ  ｉｎｆｏｒｍａｔｉｏｎは、Ｐｈｙｓｉｃａｌ  ＨＡＲＱ  Ｉｎｄｉｃａｔｏｒ  Ｃｈａｎｎｅｌ（ＰＨＩＣＨ）と呼ばれてもよい。【００３７】
上述した説明では、上記ＰＣＦＩＣＨやＰＨＩＣＨは、上記ＰＤＣＣＨに含まれるチャネルとして定義されているが、代わりに、上記ＰＤＣＣＨとは並列の関係にある、異なる物理チャネルとして定義されてもよい。【００３８】
上りリンクについては、各移動局１００ｎで共有して使用される物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）と、物理上りリンク制御チャネルとが用いられる。上記物理上りリンク共有チャネルにより、ユーザデータが伝送される。また、物理上りリンク制御チャネルにより、下りリンクにおける共有物理チャネルのスケジューリング処理や適応変復調及び符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）、及び、物理下りリンク共有チャネルの送達確認情報（Ａｃｋｎｏｗｌｅｄｇｅｍｅｎｔ  Ｉｎｆｏｒｍａｔｉｏｎ）が伝送される。送達確認情報の内容は、送信信号が適切に受信されたことを示す肯定応答(ＡＣＫ：  Ａｃｋｎｏｗｌｅｄｇｅｍｅｎｔ)又はそれが適切に受信されなかったことを示す否定応答(ＮＡＣＫ：  Ｎｅｇａｔｉｖｅ  Ａｃｋｎｏｗｌｅｄｇｅｍｅｎｔ)の何れかで表現される。【００３９】
物理上りリンク制御チャネルでは、ＣＱＩや送達確認情報に加えて、上りリンクの共有チャネルのリソース割り当てを要求するスケジューリング要求（Ｓｃｈｅｄｕｌｉｎｇ  Ｒｅｑｕｅｓｔ）や、パーシステントスケジューリング（Ｐｅｒｓｉｓｔｅｎｔ  Ｓｃｈｅｄｕｌｉｎｇ）におけるリリース要求（Ｒｅｌｅａｓｅ  Ｒｅｑｕｅｓｔ）等が送信されてもよい。ここで、上りリンクの共有チャネルのリソース割り当てとは、あるサブフレームの物理下りリンク制御チャネル内のＵｐｌｉｎｋ  Ｓｃｈｅｄｕｌｉｎｇ  Ｇｒａｎｔを用いて、後続のサブフレームにおいて上りリンクの共有チャネルを用いて通信を行ってよいことを基地局装置が移動局に通知することを意味する。【００４０】
尚、上述したユーザデータとは、例えば、Ｗｅｂ  ｂｒｏｗｓｉｎｇやＦＴＰ、ＶｏＩＰ等によるＩＰパケットや、Ｒａｄｉｏ  Ｒｅｓｏｕｒｃｅ  Ｃｏｎｔｒｏｌ（ＲＲＣ）の処理のための制御信号などである。また、上記ユーザデータは、トランスポートチャネルとしての呼び方は、例えばＵＬ−ＳＣＨでよく、論理チャネルとしての呼び方は、例えば、個別トラヒックチャネル（ＤＴＣＨ：  ｄｅｄｉｃａｔｅｄ  ｔｒａｆｆｉｃ  ｃｈａｎｎｅｌ）や個別制御チャネル（ＤＣＣＨ：  ｄｅｄｉｃａｔｅｄ  ｃｏｎｔｒｏｌ  ｃｈａｎｎｅｌ）でよい。【００４１】
以下に、通常のユーザデータ、すなわち、ダイナミックに無線リソースを割り当てることにより、高効率化を図るベストエフォート型のスケジューリング方式が適用されるユーザデータのためのＵｐｌｉｎｋ  Ｓｃｈｅｄｕｌｉｎｇ  Ｇｒａｎｔの説明を行う。【００４２】
図３にＵｐｌｉｎｋ  Ｓｃｈｅｄｕｌｉｎｇ  Ｇｒａｎｔの情報ビットの構成例およびチャネル符号化方法の一例を示す。【００４３】
Ｕｐｌｉｎｋ  Ｓｃｈｅｄｕｌｉｎｇ  Ｇｒａｎｔは、データサイズや変調方式等に関する情報を通知する情報ビットと、リソースブロックの割当情報を通知する情報ビットと、送信電力に関する情報を通知する情報ビットと、ＣＲＣビットとから構成される。尚、ＣＲＣビットには、ＵＥ  ＩＤがマスキングされるため、ＵＥ  ＩＤの情報、すなわち、上りリンクの共有チャネルを用いて通信を行うユーザのＩＤが含まれることになる。尚、上述した構成例は、あくまで一例であり、上記以外の情報ビットが含まれていてもよく、あるいは、上記の情報ビットの一部が含まれていなくてもよい。そして、上記Ｕｐｌｉｎｋ  Ｓｃｈｅｄｕｌｉｎｇ  Ｇｒａｎｔの情報ビットは、チャネル符号化される。チャネル符号化は、畳み込み符号化でもよいし、ターボ符号化でもよい。そして、上記Ｕｐｌｉｎｋ  Ｓｃｈｅｄｕｌｉｎｇ  Ｇｒａｎｔのチャネル符号化後のビットは、物理下りリンク制御チャネルの所定のサブキャリアにマッピングされる。尚、一般に、1サブフレームにおいて複数の移動局が上りリンクの共有チャネルを送信するため、複数のＵｐｌｉｎｋ  Ｓｃｈｅｄｕｌｉｎｇ  Ｇｒａｎｔが存在する。よって、物理下りリンク制御チャネルにおいて、Ｕｐｌｉｎｋ  Ｓｃｈｅｄｕｌｉｎｇ  Ｇｒａｎｔがマッピングされるサブキャリアにおいては、複数のＵＬ  Ｓｃｈｅｕｄｌｉｎｇ  Ｇｒａｎｔが多重される。その多重方法は、周波数多重でもよいし、コード多重でもよいし、時間多重でもよい。また、上述した周波数多重やコード多重、時間多重のハイブリッドでもよい。あるいは、上述した例では１つのＵｐｌｉｎｋ  Ｓｃｈｅｄｕｌｉｎｇ  Ｇｒａｎｔをチャネル符号化した後に多重を行っているが、代わりに、複数のＵｐｌｉｎｋ  Ｓｃｈｅｄｕｌｉｎｇ  Ｇｒａｎｔをまとめてチャネル符号化した後に、サブキャリアへのマッピングを行ってもよい。【００４４】
パーシステントスケジューリング、すなわち、一定周期毎に無線リソースが割り当てられるスケジューリング方法が適用されるユーザデータに対するＨＡＲＱの適用方法に関連し、図４及び図５を用いて、詳細に説明する。【００４５】
本実施例では、図４に示すように、基地局装置２００は、上りリンクにおいて、初回送信のＰｅｒｓｉｓｔｅｎｔ  Ｓｃｈｅｄｕｌｉｎｇが適用されるユーザデータの復号結果（ＣＲＣ  ｃｈｅｃｋ結果）がＮＧの場合に、所定のタイミングにおいて、上述した物理下りリンク制御チャネルにおけるＵｐｌｉｎｋ  Ｓｃｈｅｄｕｌｉｎｇ  Ｇｒａｎｔを用いて、再送のＰｅｒｓｉｓｔｅｎｔ  Ｓｃｈｅｄｕｌｉｎｇが適用されるユーザデータのためのＵｐｌｉｎｋ  Ｓｃｈｅｄｕｌｉｎｇ  Ｇｒａｎｔを、当該移動局１００ｎに送信する。【００４６】
一方、図５に示すように、基地局装置２００は、上りリンクにおいて、初回送信のＰｅｒｓｉｓｔｅｎｔ  Ｓｃｈｅｄｕｌｉｎｇが適用されるユーザデータの復号結果（ＣＲＣ  ｃｈｅｃｋ結果）がＯＫの場合には、当該移動局１００ｎに対して送達確認情報を送信しない、すなわち、送達確認情報もＵｐｌｉｎｋ  Ｓｃｈｅｄｕｌｉｎｇ  Ｇｒａｎｔも送信しない。【００４７】
以下では、Ｐｅｒｓｉｓｔｅｎｔ  Ｓｃｈｅｄｕｌｉｎｇが適用されるユーザデータのＨＡＲＱの手順に関して、さらに詳細に説明を行う。【００４８】
まず、初回送信のＰｅｒｓｉｓｔｅｎｔ  Ｓｃｈｅｄｕｌｉｎｇが適用されるユーザデータの復号結果がＮＧの場合について、図４を参照して説明する。【００４９】
移動局１００ｎは、所定のタイミング（サブフレーム＃ｉ＋３）において、予め決められたトランスポートフォーマットの情報、すなわち、データサイズ、変調方式に関する情報や、上りリンクのリソースブロックの割り当て情報、上りリンクの共有チャネルの送信電力に関する情報等に基づき、Ｐｅｒｓｉｓｔｅｎｔ  Ｓｃｈｅｄｕｌｉｎｇが適用されるユーザデータを送信する（６０４）。【００５０】
基地局装置２００は、上記Ｐｅｒｓｉｓｔｅｎｔ  Ｓｃｈｅｄｕｌｉｎｇが適用されるユーザデータを受信し、上記Ｐｅｒｓｉｓｔｅｎｔ  Ｓｃｈｅｄｕｌｉｎｇが適用されるユーザデータの復号を行う。【００５１】
上記Ｐｅｒｓｉｓｔｅｎｔ  Ｓｃｈｅｄｕｌｉｎｇが適用されるユーザデータの復号結果（ＣＲＣ  ｃｈｅｃｋ結果）がＮＧの場合に、基地局装置２００は、所定のタイミング（サブフレーム＃ｉ＋６）において、物理下りリンク制御チャネルにより、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔを、移動局１００ｎに送信する（６０６）。【００５２】
移動局１００ｎは、上記Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔを受信する（６０６）。【００５３】
移動局１００ｎは、所定のタイミング（サブフレーム＃ｉ＋９）において、上記Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔに基づき、Ｐｅｒｓｉｓｔｅｎｔ  Ｓｃｈｅｄｕｌｉｎｇが適用されるユーザデータを再送する（６０８）。【００５４】
基地局装置２００は、上記Ｐｅｒｓｉｓｔｅｎｔ  Ｓｃｈｅｄｕｌｉｎｇが適用されるユーザデータを受信し、上記Ｐｅｒｓｉｓｔｅｎｔ  Ｓｃｈｅｄｕｌｉｎｇが適用されるユーザデータの復号を行う。【００５５】
尚、２回目に送信されるＰｅｒｓｉｓｔｅｎｔ  Ｓｃｈｅｄｕｌｉｎｇが適用されるユーザデータのＵｐｌｉｎｋ  Ｓｃｈｅｄｕｌｉｎｇ  Ｇｒａｎｔは、物理下りリンク制御チャネルにマッピングされるため、２回目以降に送信されるＰｅｒｓｉｓｔｅｎｔ  Ｓｃｈｅｄｕｌｉｎｇが適用されるユーザデータの送達確認情報、すなわち、ＡＣＫまたはＮＡＣＫは、通常のユーザデータに関するＨＡＲＱと同様に、物理下りリンク制御チャネルにおけるＡｃｋｎｏｗｌｅｄｇｅｍｅｎｔ  ｉｎｆｏｒｍａｔｉｏｎとして送信されてもよい。【００５６】
尚、上記通常のユーザデータとは、ダイナミックに無線リソースを割り当てることにより、高効率化を図るベストエフォート型のスケジューリング方式が適用されるユーザデータのことである。あるいは、２回目以降に送信されるＰｅｒｓｉｓｔｅｎｔ  Ｓｃｈｅｄｕｌｉｎｇが適用されるユーザデータに対しても、１回目に送信されるＰｅｒｓｉｓｔｅｎｔ  Ｓｃｈｅｄｕｌｉｎｇが適用されるユーザデータと同様に、その復号結果がＮＧの場合には、物理下りリンク制御チャネルにおけるＵｐｌｉｎｋ  Ｓｃｈｅｄｕｌｉｎｇ  Ｇｒａｎｔが送信されてもよい。あるいは、２回目以降に送信されるＰｅｒｓｉｓｔｅｎｔ  Ｓｃｈｅｄｕｌｉｎｇが適用されるユーザデータに対しては、上記物理下りリンク制御チャネルにおけるＡｃｋｎｏｗｌｅｄｇｅｍｅｎｔ  ｉｎｆｏｒｍａｔｉｏｎと、物理下りリンク制御チャネルにおけるＵｐｌｉｎｋ  Ｓｃｈｅｄｕｌｉｎｇ  Ｇｒａｎｔの両方が送信されてもよい。【００５７】
次に、初回送信のＰｅｒｓｉｓｔｅｎｔ  Ｓｃｈｅｄｕｌｉｎｇが適用されるユーザデータの復号結果がＯＫの場合について、図５を参照して説明する。【００５８】
移動局１００ｎは、所定のタイミング（サブフレーム＃ｉ＋３）において、予め決められたトランスポートフォーマットの情報、すなわち、データサイズ、変調方式に関する情報や、上りリンクのリソースブロックの割り当て情報、上りリンクの共有チャネルの送信電力に関する情報等に基づき、Ｐｅｒｓｉｓｔｅｎｔ  Ｓｃｈｅｄｕｌｉｎｇが適用されるユーザデータを送信する（６１２）。【００５９】
基地局装置２００は、上記Ｐｅｒｓｉｓｔｅｎｔ  Ｓｃｈｅｄｕｌｉｎｇが適用されるユーザデータを受信し、上記Ｐｅｒｓｉｓｔｅｎｔ  Ｓｃｈｅｄｕｌｉｎｇが適用されるユーザデータの復号を行う。【００６０】
上記Ｐｅｒｓｉｓｔｅｎｔ  Ｓｃｈｅｄｕｌｉｎｇが適用されるユーザデータの復号結果（ＣＲＣ  ｃｈｅｃｋ結果）がＯＫの場合に、基地局装置２００は、所定のタイミング（サブフレーム＃ｉ＋６）において、移動局１００ｎに上記Ｐｅｒｓｉｓｔｅｎｔ  Ｓｃｈｅｄｕｌｉｎｇが適用されるユーザデータに対する送達確認情報を送信しない（６１４）。一方、移動局１００ｎは、所定のタイミング（サブフレーム＃ｉ＋６）において、基地局装置２００から、物理下りリンク制御チャネルにマッピングされた、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔが送信されないため、上記Ｐｅｒｓｉｓｔｅｎｔ  Ｓｃｈｅｄｕｌｉｎｇが適用されるユーザデータが正常に復号された、すなわち、復号結果がＯＫであったと判断する。【００６１】
尚、移動局１００ｎは、所定のタイミング（サブフレーム＃ｉ＋６）において、基地局装置２００から、上記再送のためのＵｐｌｉｎｋ  Ｓｃｈｅｄｕｌｉｎｇ  Ｇｒａｎｔを受信しなかった場合に、当該ユーザデータを破棄してもよい。あるいは、当該ユーザデータの再送を一旦停止し、当該ユーザデータのＨＡＲＱプロセス、あるいは、当該ユーザデータのＨＡＲＱ送信タイミングにおいて、新規の送信が割り当てられるまで、当該ユーザデータを保持してもよい。この場合、当該ユーザデータのＨＡＲＱプロセス、あるいは、当該ユーザデータのＨＡＲＱ送信タイミングにおいて、新規の送信が割り当てられる前に、再送を指示するＵｐｌｉｎｋ  Ｓｃｈｅｄｕｌｉｎｇ  Ｇｒａｎｔを受信した場合には、保持されていた、当該ユーザデータの再送を行ってもよい。【００６２】
尚、ＬＴＥ（Ｅ−ＵＴＲＡ）の上りリンクにおいては、ＨＡＲＱは、Ｓｙｎｃｈｒｏｎｏｕｓ  ＨＡＲＱであるため、ＨＡＲＱプロセスとＨＡＲＱの送信タイミングは、ほぼ同義である。【００６３】
ここで、例えば、図４を参照して説明した６０４において、上記Ｐｅｒｓｉｓｔｅｎｔ  Ｓｃｈｅｄｕｌｉｎｇが適用されるユーザデータの復号結果（ＣＲＣ  ｃｈｅｃｋ結果）がＮＧの場合に、基地局装置は、所定のタイミング（サブフレーム＃ｉ＋６）において、物理下りリンク制御チャネルにより、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔを、移動局１００ｎに送信したとしても、上記Ｕｐｌｉｎｋ  Ｓｃｈｅｄｕｌｉｎｇ  Ｇｒａｎｔが、移動局１００ｎにおいて正しく復号できない場合がある。このとき、移動局１００ｎは、６１４の動作と同一の動作となるため、Ｐｅｒｓｉｓｔｅｎｔ  Ｓｃｈｅｄｕｌｉｎｇが適用されるユーザデータの再送を行わない（６０８の処理を行わない）。この場合、基地局装置２００は、移動局１００ｎからＰｅｒｓｉｓｔｅｎｔ  Ｓｃｈｅｄｕｌｉｎｇが適用されるユーザデータが再送されるのを期待し、移動局１００ｎは、基地局装置２００に対して、上記Ｐｅｒｓｉｓｔｅｎｔ  Ｓｃｈｅｄｕｌｉｎｇが適用されるユーザデータを送信しない、という状態の不一致が生じるため、問題となる。【００６４】
この問題に対して、基地局装置２００は、上記Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔの送信電力を、本来よりも高めに設定することにより、上述したような、Ｕｐｌｉｎｋ  Ｓｃｈｅｄｕｌｉｎｇ  Ｇｒａｎｔが、移動局１００ｎにおいて正しく復号できない、という頻度を低減してもよい。【００６５】
また、この問題に対して、基地局装置２００は、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔを送信したにも関わらず、移動局１００ｎより、Ｐｅｒｓｉｓｔｅｎｔ  Ｓｃｈｅｄｕｌｉｎｇが適用されるユーザデータが再送されない場合には、移動局１００ｎから、Ｐｅｒｓｉｓｔｅｎｔ  Ｓｃｈｅｄｕｌｉｎｇが適用されるユーザデータは再送されないと判断してもよい。この場合、基地局装置２００は、所定のサブフレームにおいて移動局１００ｎから送信されるＰｅｒｓｉｓｔｅｎｔ  Ｓｃｈｅｄｕｌｉｎｇが適用されるユーザデータがマッピングされたＰＵＳＣＨのＰｏｗｅｒ判定を行い、Ｐｏｗｅｒ判定の結果がＮＧの場合に、移動局１００ｎから、Ｐｅｒｓｉｓｔｅｎｔ  Ｓｃｈｅｄｕｌｉｎｇが適用されるユーザデータは再送されないと判断してもよい。ここで、上記Ｐｏｗｅｒ判定とは、例えば、ＰＵＳＣＨの復調用のリファレンス信号やデータ信号のＳＩＲを測定し、上記ＳＩＲと所定の閾値の比較により、実際にＰＵＳＣＨが送信されたか否かを判定する方法である。例えば、上記ＳＩＲが上記所定の閾値より大きい場合に、Ｐｏｗｅｒ判定ＯＫ、すなわち、ＰＵＳＣＨが実際に送信されたと判定し、上記ＳＩＲが上記所定の閾値より大きくない場合に、Ｐｏｗｅｒ判定ＮＧ、すなわち、ＰＵＳＣＨが実際には送信されなかったと判定してもよい。この場合、基地局２００は、移動局１００ｎから送信されるＰｅｒｓｉｓｔｅｎｔ  Ｓｃｈｅｄｕｌｉｎｇが適用されるユーザデータの無線リソース、例えば、周波数リソースやリソースブロック等を、他の移動局に割り当てることができる。【００６６】
あるいは、基地局装置２００は、所定のサブフレームにおいて移動局１００ｎから送信されるＰｅｒｓｉｓｔｅｎｔ  Ｓｃｈｅｄｕｌｉｎｇが適用されるユーザデータがマッピングされたＰＵＳＣＨのＰｏｗｅｒ判定を行い、Ｐｏｗｅｒ判定の結果がＮＧの場合に、その次のＨＡＲＱの送信タイミングにおいて、移動局１００ｎに対して、前記ユーザデータを再送することを指示してもよい。この場合、前提条件として、移動局１００ｎは、一旦再送を停止したユーザデータを、送信バッファ内に保持している必要がある。【００６７】
尚、一般に、１サブフレームにおける物理下りリンク制御チャネルにおけるＵＬ  Ｓｃｈｅｕｄｌｉｎｇ  Ｇｒａｎｔの数には上限値が設定されている。よって、６０６において、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔの数が多い場合には、全ての、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔを送信できない場合がある。この場合には、例えば、基地局装置２００は、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔの一部を送信しないという処理を行ってもよい。あるいは、基地局装置２００は、Ｐｅｒｓｉｓｔｅｎｔ  Ｓｃｈｅｄｕｌｉｎｇが適用されるユーザデータの再送のためのＵｐｌｉｎｋ  Ｓｃｈｅｄｕｌｉｎｇ  Ｇｒａｎｔの一部を、後続する未来のサブフレーム、例えば、次のサブフレームにおいて送信するという処理を行ってもよい。そして、移動局１００ｎは、上記後続する未来のサブフレームも含めて、上記再送のＰｅｒｓｉｓｔｅｎｔ  Ｓｃｈｅｄｕｌｉｎｇが適用されるユーザデータのためのＵｐｌｉｎｋ  Ｓｃｈｅｄｕｌｉｎｇ  Ｇｒａｎｔの受信を試みる。【００６８】
このように、物理下りリンク制御チャネルにおいてＵｐｌｉｎｋ  Ｓｃｈｅｄｕｌｉｎｇ  Ｇｒａｎｔが送信されない初回送信のＵｐｌｉｎｋ  Ｓｃｈｅｄｕｌｉｎｇ  Ｇｒａｎｔに対する送達確認情報は、ＡＣＫの場合に何も送信しない、ＮＡＣＫの場合に、物理下りリンク制御チャネルにおけるＵｐｌｉｎｋ  Ｓｃｈｅｄｕｌｉｎｇ  Ｇｒａｎｔを送信するという送信方法を適用することにより、効率の良い、オーバヘッドの少ないＰｅｒｓｉｓｔｅｎｔ  Ｓｃｈｅｄｕｌｉｎｇが適用されるユーザデータのＨＡＲＱを実現することができる。【００６９】
図６を参照しながら、本発明の実施例に係る移動局１００ｎについて説明する。【００７０】
同図において、移動局１００ｎは、送受信アンテナ１０２と、アンプ部１０４と、送受信部１０６と、ベースバンド信号処理部１０８と、アプリケーション部１１０とを具備する。【００７１】
下りリンクのデータについては、送受信アンテナ１０２で受信された無線周波数信号がアンプ部１０４で増幅され、送受信部１０６で周波数変換されてベースバンド信号に変換される。このベースバンド信号は、ベースバンド信号処理部１０８でＦＦＴ処理や、誤り訂正復号、再送制御の受信処理等がなされる。上記下りリンクのデータの内、下りリンクのユーザデータは、アプリケーション部１１０に転送される。アプリケーション部１１０は、物理レイヤーやＭＡＣレイヤーより上位のレイヤーに関する処理等を行う。【００７２】
一方、上りリンクのユーザデータについては、アプリケーション部１１０からベースバンド信号処理部１０８に入力される。ベースバンド信号処理部１０８では、再送制御（Ｈ−ＡＲＱ  （Ｈｙｂｒｉｄ  ＡＲＱ））の送信処理や、チャネル符号化、ＤＦＴ処理、ＩＦＦＴ処理等が行われて送受信部１０６に転送される。送受信部１０６では、ベースバンド信号処理部１０８から出力されたベースバンド信号を無線周波数帯に変換する周波数変換処理が施され、その後、アンプ部１０４で増幅されて送受信アンテナ１０２より送信される。【００７３】
図４及び図５を用いて説明を行った、本実施例に係る、Ｐｅｒｓｉｓｔｅｎｔ  Ｓｃｈｅｄｕｌｉｎｇが適用されるユーザデータのＨＡＲＱに係る移動局の処理は、図６におけるベースバンド信号処理部１０８において行われる。すなわち。ベースバンド信号処理部１０８は、基地局装置２００に第１の信号としてのＰｅｒｓｉｓｔｅｎｔ  Ｓｃｈｅｄｕｌｉｎｇが適用されるユーザデータを送信する送信部と、基地局装置から、Ｐｅｒｓｉｓｔｅｎｔ  Ｓｃｈｅｄｕｌｉｎｇが適用されるユーザデータの再送のための制御信号としての下りリンクの制御チャネルにマッピングされるＵＬ  Ｓｃｈｅｄｕｌｉｎｇ  Ｇｒａｎｔを受信した場合に、Ｐｅｒｓｉｓｔｅｎｔ  Ｓｃｈｅｄｕｌｉｎｇが適用されるユーザデータを再送する再送部と、基地局装置にＰｅｒｓｉｓｔｅｎｔ  Ｓｃｈｅｄｕｌｉｎｇが適用されるユーザデータを再送した場合に、該Ｐｅｒｓｉｓｔｅｎｔ  Ｓｃｈｅｄｕｌｉｎｇが適用されるユーザデータに対する送達確認情報を受信する受信部とを備える。ここで、ＵＬ  Ｓｃｈｅｄｕｌｉｎｇ  Ｇｒａｎｔとは、上りリンクのリソースブロックの割り当て情報、ユーザ（移動局）の識別情報、データサイズ、変調方式、送信電力の少なくとも１つを示す信号である。また、ベースバンド信号処理部１０８は、上記Ｐｅｒｓｉｓｔｅｎｔ  Ｓｃｈｅｄｕｌｉｎｇが適用されるユーザデータの再送のための制御信号としての下りリンクの制御チャネルにマッピングされるＵＬ  Ｓｃｈｅｄｕｌｉｎｇ  Ｇｒａｎｔを受信しなかった場合に、上記Ｐｅｒｓｉｓｔｅｎｔ  Ｓｃｈｅｄｕｌｉｎｇが適用されるユーザデータは正常に受信されたと判断する。【００７４】
具体的には、ベースバンド信号処理部１０８は、図７に示すように、レイヤー１処理部１０８１と、ＭＡＣ（Ｍｅｄｉｕｍ  Ａｃｃｅｓｓ  Ｃｏｎｔｒｏｌ）処理部１０８２と、ＲＬＣ（Ｒａｄｉｏ  Ｌｉｎｋ  Ｃｏｎｔｒｏｌ）処理部／バッファ部１０８３を備える。【００７５】
レイヤー１処理部１０８１では、下りリンクで受信される信号のチャネル復号化やＦＦＴ処理などが行われる。また、レイヤー１処理部１０８１は、下りリンクの受信信号に含まれる、物理下りリンク制御チャネルの復調・復号を行い、その復号結果をＭＡＣ処理部１０８２に送信する。すなわち、レイヤー１処理部１０８１は、上記物理下りリンク制御チャネルに含まれるＤｏｗｎｌｉｎｋ  Ｓｃｈｅｄｕｌｉｎｇ  ＩｎｆｏｒｍａｔｉｏｎやＵｐｌｉｎｋ  Ｓｃｈｅｄｕｌｉｎｇ  Ｇｒａｎｔ、Ａｃｋｎｏｗｌｅｄｇｅｍｅｎｔ  ｉｎｆｏｒｍａｔｉｏｎ（ＡＣＫ／ＮＡＣＫ）の復調・復号を行い、その復号結果をＭＡＣ処理部１０８２に送信する。【００７６】
さらに、レイヤー１処理部１０８１は、当該サブフレームの上りリンクにおいてＰｅｒｓｉｓｔｅｎｔ  Ｓｃｈｅｄｕｌｉｎｇが適用されるユーザデータを送信する場合には、ＭＡＣ処理部１０８２からＰｅｒｓｉｓｔｅｎｔ  Ｓｃｈｅｄｕｌｉｎｇが適用されるユーザデータを受け取る。そして、レイヤー１処理部１０８１は、上記Ｐｅｒｓｉｓｔｅｎｔ  Ｓｃｈｅｄｕｌｉｎｇが適用されるユーザデータに関して、符号化やデータ変調等の処理やＤＦＴ処理、サブキャリアマッピング処理、ＩＦＦＴ処理等を行い、それらをベースバンド信号として送受信部１０６に入力する。【００７７】
ＭＡＣ処理部１０８２は、レイヤー１処理部１０８１より復号されたＤｏｎｗｌｉｎｋ  Ｓｃｈｅｄｕｌｉｎｇ  ＩｎｆｏｒｍａｔｉｏｎやＵｐｌｉｎｋ  Ｓｃｈｅｄｕｌｉｎｇ  Ｇｒａｎｔ、Ａｃｋｎｏｗｌｅｄｇｅｍｅｎｔ  ｉｎｆｏｒｍａｔｉｏｎ（ＡＣＫ／ＮＡＣＫ）を受信する。本実施例に係る移動局１００ｎは、主にＰｅｒｓｉｓｔｅｎｔ  Ｓｃｈｅｄｕｌｉｎｇが適用される上りリンクの共有チャネルの送信に係るため、以下では、主に、上りリンクの共有チャネルの送信に関して説明を行う。【００７８】
ＭＡＣ処理部１０８２は、予め決められたＰｅｒｓｉｓｔｅｎｔ  Ｓｃｈｅｄｕｌｉｎｇが適用されるユーザデータの送信タイミングにおいて、基地局装置２００に第１の信号としてのＰｅｒｓｉｓｔｅｎｔ  Ｓｃｈｅｄｕｌｉｎｇが適用されるユーザデータを送信するための送信処理を行う。移動局１００ｎ内のデータバッファに存在するＰｅｒｓｉｓｔｅｎｔ  Ｓｃｈｅｄｕｌｉｎｇが適用されるユーザデータに関して、トランスポートフォーマットの決定、送信電力の決定、送信に使用される周波数リソース、すなわち、上りリンクのリソースブロックの決定等の送信処理を行い、そのＰｅｒｓｉｓｔｅｎｔ  Ｓｃｈｅｄｕｌｉｎｇが適用されるユーザデータをレイヤー１処理部１０８１に与える。ここで、上記移動局１００ｎ内のデータバッファとは、例えば、ＲＬＣ（Ｒａｄｉｏ  Ｌｉｎｋ  Ｃｏｎｔｒｏｌ）処理部／バッファ部１０８３におけるＰｅｒｓｉｓｔｅｎｔ  Ｓｃｈｅｄｕｌｉｎｇが適用されるデータバッファであってもよい。この場合、ＭＡＣ処理部１０８２は、上記ＲＬＣ（Ｒａｄｉｏ  Ｌｉｎｋ  Ｃｏｎｔｒｏｌ）処理部／バッファ部１０８３内のデータバッファから、存在するＰｅｒｓｉｓｔｅｎｔ  Ｓｃｈｅｄｕｌｉｎｇが適用されるユーザデータを受け取り、上述した送信処理を行う。尚、上記データバッファは、ＲＬＣ（Ｒａｄｉｏ  Ｌｉｎｋ  Ｃｏｎｔｒｏｌ）処理部／バッファ部１０８３ではなく、ＭＡＣ処理部１０８２に存在してもよい。また、ＭＡＣ処理部１０８２は、レイヤー１処理部１０８１から、Ｐｅｒｓｉｓｔｅｎｔ  Ｓｃｈｅｄｕｌｉｎｇが適用されるユーザデータの再送のための制御信号としての下りリンクの制御チャネルにマッピングされるＵＬ  Ｓｃｈｅｄｕｌｉｎｇ  Ｇｒａｎｔをレイヤー1処理部１０８１より受信した場合に、該当するＰｅｒｓｉｓｔｅｎｔ  Ｓｃｈｅｄｕｌｉｎｇが適用されるユーザデータを再送するための送信処理を行う。さらに、ＭＡＣ処理部１０８２は、基地局装置にＰｅｒｓｉｓｔｅｎｔ  Ｓｃｈｅｄｕｌｉｎｇが適用されるユーザデータを再送した場合に、所定のタイミングにおいて、該Ｐｅｒｓｉｓｔｅｎｔ  Ｓｃｈｅｄｕｌｉｎｇが適用されるユーザデータに対する送達確認情報を受信する。ここで、ＵＬ  Ｓｃｈｅｄｕｌｉｎｇ  Ｇｒａｎｔとは、上りリンクのリソースブロックの割り当て情報、ユーザ（移動局）の識別情報、データサイズ、変調方式、送信電力の少なくとも１つを示す信号である。また、ＭＡＣ処理部１０８２は、上記初回に送信されたＰｅｒｓｉｓｔｅｎｔ  Ｓｃｈｅｄｕｌｉｎｇが適用されるユーザデータの再送のための制御信号としての、下りリンクの制御チャネルにマッピングされるＵＬ  Ｓｃｈｅｄｕｌｉｎｇ  Ｇｒａｎｔを受信しなかった場合に、上記Ｐｅｒｓｉｓｔｅｎｔ  Ｓｃｈｅｄｕｌｉｎｇが適用されるユーザデータは正常に受信されたと判断する。【００７９】
次に、図８を参照しながら、本実施例に係る基地局装置２００について説明する。【００８０】
本実施例に係る基地局装置２００は、送受信アンテナ２０２と、アンプ部２０４と、送受信部２０６と、ベースバンド信号処理部２０８と、呼処理部２１０と、伝送路インターフェース２１２とを備える。【００８１】
下りリンクにより基地局装置２００から移動局１００ｎに送信されるユーザデータは、基地局装置２００の上位に位置する上位局、例えばアクセスゲートウェイ装置３００から伝送路インターフェース２１２を介してベースバンド信号処理部２０８に入力される。【００８２】
ベースバンド信号処理部２０８では、ユーザデータの分割・結合、ＲＬＣ（ｒａｄｉｏ  ｌｉｎｋ  ｃｏｎｔｒｏｌ）再送制御の送信処理などのＲＬＣレイヤーの送信処理、ＭＡＣ（Ｍｅｄｉｕｍ  Ａｃｃｅｓｓ  Ｃｏｎｔｒｏｌ）再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、下りリンク制御チャネルである物理下りリンク制御チャネルの信号に関しても、チャネル符号化や逆高速フーリエ変換等の送信処理が行われて、送受信部２０６に転送される。【００８３】
送受信部２０６では、ベースバンド信号処理部２０８から出力されたベースバンド信号を無線周波数帯に変換する周波数変換処理が施され、その後、アンプ部２０４で増幅されて送受信アンテナ２０２より送信される。【００８４】
一方、上りリンクにより移動局１００ｎから基地局装置２００に送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。【００８５】
ベースバンド信号処理部２０８では、入力されたベースバンド信号に含まれるユーザデータに対して、ＦＦＴ処理、ＩＤＦＴ処理、誤り訂正復号、ＭＡＣ再送制御の受信処理、ＲＬＣレイヤーの受信処理がなされ、伝送路インターフェース２１２を介してアクセスゲートウェイ装置３００に転送される。【００８６】
図４及び図５を用いて説明を行った、本発明の実施例に係るＰｅｒｓｉｓｔｅｎｔ  Ｓｃｈｅｄｕｌｉｎｇが適用されるユーザデータのＨＡＲＱの処理に係る基地局装置２００の処理は、図８におけるベースバンド信号処理部２０８において行われる。すなわち、ベースバンド信号処理部２０８は、第１の信号としてのＰｅｒｓｉｓｔｅｎｔ  Ｓｃｈｅｄｕｌｉｎｇが適用されるユーザデータを復号する復号部と、該Ｐｅｒｓｉｓｔｅｎｔ  Ｓｃｈｅｄｕｌｉｎｇが適用されるユーザデータの復号結果に基づいて、Ｐｅｒｓｉｓｔｅｎｔ  Ｓｃｈｅｄｕｌｉｎｇが適用されるユーザデータを正常に受信しなかった場合に、Ｐｅｒｓｉｓｔｅｎｔ  Ｓｃｈｅｄｕｌｉｎｇが適用されるユーザデータの再送のための制御信号としての下りリンクの制御チャネルにマッピングされるＵＬ  Ｓｃｈｅｄｕｌｉｎｇ  Ｇｒａｎｔを移動局１００ｎに送信する送信部とを備える。また、送信部は、再送されたＰｅｒｓｉｓｔｅｎｔ  Ｓｃｈｅｄｕｌｉｎｇが適用されるユーザデータに対する送達確認情報を移動局に送信する。ここで、ＵＬ  Ｓｃｈｅｄｕｌｉｎｇ  Ｇｒａｎｔとは、上りリンクの周波数リソースの割り当て情報、ユーザ（移動局）の識別情報、データサイズ、変調方式、送信電力の少なくとも１つを示す信号である。【００８７】
具体的には、図９に示すように、ベースバンド信号処理部２０８は、レイヤー１処理部２０８１と、ＭＡＣ処理部２０８２と、ＲＬＣ処理部２０８３とを備える。【００８８】
レイヤー１処理部２０８１では、下りリンクで送信されるデータのチャネル符号化やＩＦＦＴ処理、上りリンクで送信されるデータのチャネル復号化やＩＤＦＴ処理、ＦＦＴ処理などが行われる。レイヤー１処理部２０８１は、予め決められたＰｅｒｓｉｓｔｅｎｔ  Ｓｃｈｅｄｕｌｉｎｇが適用されるユーザデータの受信タイミングにおいて、第１の信号としてのＰｅｒｓｉｓｔｅｎｔ  Ｓｃｈｅｄｕｌｉｎｇが適用されるユーザデータのチャネル復号化やＩＤＦＴ処理、ＦＦＴ処理等の復調・復号処理を行い、その処理後のユーザデータをＭＡＣ処理部２０８２に送信する。【００８９】
レイヤー処理部２０８１は、物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔ、送達確認情報Ａｃｋｎｏｗｌｅｄｇｅｍｅｎｔ  ｉｎｆｏｒｍａｔｉｏｎ（ＡＣＫ／ＮＡＣＫ）をＭＡＣ処理部２０８２から受け取る。また、レイヤー処理部２０８１は、上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔ、Ａｃｋｎｏｗｌｅｄｇｅｍｅｎｔ  ｉｎｆｏｒｍａｔｉｏｎ（ＡＣＫ／ＮＡＣＫ）に対して、チャネル符号化やＩＦＦＴ処理等の送信処理を行う。上記物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｍａｔｉｏｎ、及び、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔ、Ａｃｋｎｏｗｌｅｄｇｅｍｅｎｔ  ｉｎｆｏｒｍａｔｉｏｎ（ＡＣＫ／ＮＡＣＫ）は、下りリンク制御チャネルである物理下りリンク制御チャネルにマッピングされる。【００９０】
また、レイヤー１処理部２０８１は、上りリンクで送信される物理上りリンク制御チャネルにマッピングされるＣＱＩや送達確認情報の復調及び復号も行い、上記復号結果を、ＭＡＣ処理部２０８２に通知する。【００９１】
ＭＡＣ処理部２０８２は、下りリンクの通常のユーザデータのＭＡＣ再送制御、例えばＨＡＲＱの送信処理や、スケジューリング処理、伝送フォーマットの選択処理、周波数リソースの割り当て処理等を行う。通常のユーザデータとは、ダイナミックに無線リソースを割り当てることにより、高効率化を図るベストエフォート型のスケジューリング方式が適用されるユーザデータのことを指す。ここで、スケジューリング処理とは、当該サブフレームの下りリンクにおいて共有チャネルを用いてユーザデータの受信を行う移動局を選別する処理のことを指す。また、伝送フォーマットの選択処理とは、スケジューリングにおいて選別された移動局が受信するユーザデータに関する変調方式や符号化率、データサイズを決定する処理のことを指す。上記変調方式、符号化率、データサイズの決定は、例えば、移動局から上りリンクにおいて報告されるＣＱＩの良否に基づいて行われる。さらに、上記周波数リソースの割り当て処理とは、スケジューリングにおいて選別された移動局が受信するユーザデータに用いられるリソースブロックを決定する処理のことを指す。上記リソースブロックの決定は、例えば、移動局から上りリンクにおいて報告されるＣＱＩに基づいて行われる。上記移動局から報告されるＣＱＩは、レイヤー1処理部２０８１より通知される。そして、ＭＡＣ処理部２０８２は、上述したスケジューリング処理、伝送フォーマットの選択処理、周波数リソースの割り当て処理により決定される、物理下りリンク共有チャネルを用いて通信を行うユーザのＩＤや、そのユーザデータのトランスポートフォーマットの情報、すなわち、Ｄｏｗｎｌｉｎｋ  Ｓｃｈｅｄｕｌｉｎｇ  Ｉｎｆｏｒｍａｔｉｏｎをレイヤー１処理部２０８１に通知する。【００９２】
また、ＭＡＣ処理部２０８２は、上りリンクの通常のユーザデータのＭＡＣ再送制御の受信処理や、スケジューリング処理、伝送フォーマットの選択処理、周波数リソースの割り当て処理等を行う。通常のユーザデータとは、ダイナミックに無線リソースを割り当てることにより、高効率化を図るベストエフォート型のスケジューリング方式が適用されるユーザデータのことを指す。ここで、スケジューリング処理とは、所定のサブフレームにおいて共有チャネルを用いてユーザデータの送信を行う移動局を選別する処理のことを指す。また、伝送フォーマットの選択処理とは、スケジューリングにおいて選別された移動局が送信するユーザデータに関する変調方式や符号化率、データサイズを決定する処理のことを指す。上記変調方式、符号化率、データサイズの決定は、例えば、移動局から上りリンクにおいて送信するサウンディング用リファレンス信号のＳＩＲや移動局と基地局装置との間のパスロスに基づいて行われる。さらに、上記周波数リソースの割り当て処理とは、スケジューリングにおいて選別された移動局が送信するユーザデータの送信に用いられるリソースブロックを決定する処理のことを指す。上記リソースブロックの決定は、例えば、移動局から上りリンクにおいて送信するサウンディング用リファレンス信号のＳＩＲに基づいて行われる。そして、ＭＡＣ処理部２０８２は、上述したスケジューリング処理、伝送フォーマットの選択処理、周波数リソースの割り当て処理により決定される、物理上りリンク共有チャネルを用いて通信を行うユーザのＩＤや、そのユーザデータのトランスポートフォーマットの情報、すなわち、Ｕｐｌｉｎｋ  Ｓｃｈｅｄｕｌｉｎｇ  Ｇｒａｎｔをレイヤー１処理部２０８１に通知する。【００９３】
図４及び図５を用いて説明を行った、本発明の実施例に係るＰｅｒｓｉｓｔｅｎｔ  Ｓｃｈｅｄｕｌｉｎｇが適用されるユーザデータのＨＡＲＱの処理に係る基地局装置２００の処理は、図９におけるＭＡＣ処理部２０８２において行われる。すなわち、ＭＡＣ処理部２０８２は、予め決められたＰｅｒｓｉｓｔｅｎｔ  Ｓｃｈｅｄｕｌｉｎｇが適用されるユーザデータの受信タイミングにおいて、レイヤー１処理部２０８１より、復調・復号処理後の、第１の信号としてのＰｅｒｓｉｓｔｅｎｔ  Ｓｃｈｅｄｕｌｉｎｇが適用されるユーザデータを受け取る。そして、該Ｐｅｒｓｉｓｔｅｎｔ  Ｓｃｈｅｄｕｌｉｎｇが適用されるユーザデータの復号結果に基づいて、Ｐｅｒｓｉｓｔｅｎｔ  Ｓｃｈｅｄｕｌｉｎｇが適用されるユーザデータを正常に受信しなかった場合に、Ｐｅｒｓｉｓｔｅｎｔ  Ｓｃｈｅｄｕｌｉｎｇが適用されるユーザデータの再送のための制御信号としての下りリンクの制御チャネルにマッピングされるＵＬ  Ｓｃｈｅｄｕｌｉｎｇ  Ｇｒａｎｔを生成し、上記ＵＬ  Ｓｃｈｅｄｕｌｉｎｇ  Ｇｒａｎｔをレイヤー１処理部２０８１に通知する。また、ＭＡＣ処理部２０８２は、再送されたＰｅｒｓｉｓｔｅｎｔ  Ｓｃｈｅｄｕｌｉｎｇが適用されるユーザデータに対する送達確認情報Ａｃｋｎｏｗｌｅｄｇｅｍｅｎｔ  ｉｎｆｏｒｍａｔｉｏｎ（ＡＣＫ／ＮＡＣＫ）をレイヤー１処理部２０８１に通知する。ここで、ＵＬ  Ｓｃｈｅｄｕｌｉｎｇ  Ｇｒａｎｔとは、上りリンクの周波数リソースの割り当て情報、ユーザ（移動局）の識別情報、データサイズ、変調方式、送信電力の少なくとも１つを示す信号である。【００９４】
ＲＬＣ処理部２０８３では、下りリンクのパケットデータに関する、分割・結合、ＲＬＣ再送制御の送信処理等のＲＬＣレイヤーの送信処理や、上りリンクのデータに関する、分割・結合、ＲＬＣ再送制御の受信処理等のＲＬＣレイヤーの受信処理が行われる。【００９５】
呼処理部２１０は、通信チャネルの設定や解放等の呼処理や、基地局装置２００の状態管理や、無線リソースの管理を行う。  図１０を参照しながら、本実施例による移動局で使用される通信制御方法について説明する。【００９６】
移動局１００ｎは、予め決められたＰｅｒｓｉｓｔｅｎｔ  Ｓｃｈｅｄｕｌｉｎｇが適用されるユーザデータの送信タイミング（図４及び図５におけるサブフレーム＃ｉ＋３）において、基地局装置２００に第１の信号としてのＰｅｒｓｉｓｔｅｎｔ  Ｓｃｈｅｄｕｌｉｎｇが適用されるユーザデータを送信する（ステップＳ９０２）。【００９７】
移動局１００ｎは、ステップＳ９０２において送信したＰｅｒｓｉｓｔｅｎｔ  Ｓｃｈｅｄｕｌｉｎｇが適用されるユーザデータの、再送のためのＵＬ  Ｓｃｈｅｄｕｌｉｎｇ  Ｇｒａｎｔを受信するか否かを判断する（ステップＳ９０４）。【００９８】
移動局１００ｎは、所定のタイミング（図４及び図５におけるサブフレーム＃ｉ＋６）において、ステップＳ９０２において送信したＰｅｒｓｉｓｔｅｎｔ  Ｓｃｈｅｄｕｌｉｎｇが適用されるユーザデータの、再送のためのＵｐｌｉｎｋ  Ｓｃｈｅｄｕｌｉｎｇ  Ｇｒａｎｔの受信を試み、上記再送のためのＵｐｌｉｎｋ  Ｓｃｈｅｄｕｌｉｎｇ  Ｇｒａｎｔを受信するか否かを判定する（ステップＳ９０４）。ここで、上記物理下りリンク制御チャネルにおけるＵｐｌｉｎｋ  Ｓｃｈｅｄｕｌｉｎｇ  Ｇｒａｎｔを受信するとは、上記物理下りリンク制御チャネルにおけるＵｐｌｉｎｋ  Ｓｃｈｅｄｕｌｉｎｇ  Ｇｒａｎｔを正しく復号できる、すなわち、ＣＲＣ  ｃｈｅｃｋ結果がＯＫであることに相当してもよい。【００９９】
上記物理下りリンク制御チャネルにおけるＵｐｌｉｎｋ  Ｓｃｈｅｄｕｌｉｎｇ  Ｇｒａｎｔを受信する場合（ステップＳ９０４：ＹＥＳ）、移動局１００ｎは、上記Ｕｐｌｉｎｋ  Ｓｃｈｅｄｕｌｉｎｇ  Ｇｒａｎｔに基づき、Ｐｅｒｓｉｓｔｅｎｔ  Ｓｃｈｅｄｕｌｉｎｇが適用されるユーザデータを再送する（ステップＳ９０６）。【０１００】
移動局１００ｎは、所定のタイミングにおいて、上記再送したＰｅｒｓｉｓｔｅｎｔ  Ｓｃｈｅｄｕｌｉｎｇが適用されるユーザデータに対する送達確認情報がＡＣＫであるかＮＡＣＫであるかを判定する（ステップＳ９０８）。すなわち、上記再送したＰｅｒｓｉｓｔｅｎｔ  Ｓｃｈｅｄｕｌｉｎｇが適用されるユーザデータに対する、物理下りリンク制御チャネルにおけるＡｃｋｎｏｗｌｅｇｅｍｅｎｔ  ｉｎｆｏｒｍａｔｉｏｎとして、ＮＡＣＫを受信するか否かを判定する。尚、ステップＳ９０８において、移動局１００ｎは、上記物理下りリンク制御チャネルにおけるＡｃｋｎｏｗｌｅｇｅｍｅｎｔ  ｉｎｆｏｒｍａｔｉｏｎがＮＡＣＫであるか否かに基づいて、再送のＰｅｒｓｉｓｔｅｎｔ  Ｓｃｈｅｄｕｌｉｎｇが適用されるユーザデータの復号結果がＮＧであったか否かを判定したが、代わりに、初回送信のＰｅｒｓｉｓｔｅｎｔ  Ｓｃｈｅｄｕｌｉｎｇが適用されるユーザデータと同様に、物理下りリンク制御チャネルにおけるＵｐｌｉｎｋ  Ｓｃｈｅｄｕｌｉｎｇ  Ｇｒａｎｔを受信するか否かで、再送のＰｅｒｓｉｓｔｅｎｔ  Ｓｃｈｅｄｕｌｉｎｇが適用されるユーザデータの復号結果がＮＧであったか否かを判定してもよい。あるいは、上記物理下りリンク制御チャネルにおけるＡｃｋｎｏｗｌｅｇｅｍｅｎｔ  ｉｎｆｏｒｍａｔｉｏｎがＮＡＣＫであるか否かと、物理下りリンク制御チャネルにおけるＵｐｌｉｎｋ  Ｓｃｈｅｄｕｌｉｎｇ  Ｇｒａｎｔを受信するか否かの両方に基づいて、再送のＰｅｒｓｉｓｔｅｎｔ  Ｓｃｈｅｄｕｌｉｎｇが適用されるユーザデータの復号結果がＮＧであったか否かを判定してもよい。【０１０１】
物理下りリンク制御チャネルにおけるＡｃｋｎｏｗｌｅｇｅｍｅｎｔ  ｉｎｆｏｒｍａｔｉｏｎとして、ＮＡＣＫを受信する場合（ステップＳ９０８：ＹＥＳ）、ステップＳ９０６における処理に戻り、移動局１００ｎは、Ｐｅｒｓｉｓｔｅｎｔ  Ｓｃｈｅｄｕｌｉｎｇが適用されるユーザデータを再送する（ステップＳ９０６）。尚、ステップＳ９０６におけるＰｅｒｓｉｓｔｅｎｔ  Ｓｃｈｅｄｕｌｉｎｇが適用されるユーザデータを再送する処理は、ステップＳ９０８における処理で、物理下りリンク制御チャネルにおけるＡｃｋｎｏｗｌｅｇｅｍｅｎｔ  ｉｎｆｏｒｍａｔｉｏｎとしてＡＣＫを受信するまで、あるいは、Ｐｅｒｓｉｓｔｅｎｔ  Ｓｃｈｅｄｕｌｉｎｇが適用されるユーザデータの最大再送回数が満了するまで、繰り返し行われる。【０１０２】
一方、ステップＳ９０４で、上記物理下りリンク制御チャネルにおけるＵｐｌｉｎｋ  Ｓｃｈｅｄｕｌｉｎｇ  Ｇｒａｎｔを受信しない場合（ステップＳ９０４：ＮＯ）、または、ステップＳ９０８で、物理下りリンク制御チャネルにおけるＡｃｋｎｏｗｌｅｇｅｍｅｎｔ  ｉｎｆｏｒｍａｔｉｏｎとしてＮＡＣＫを受信しない（ＡＣＫを受信する）場合（ステップＳ９０８：ＮＯ）、終了する。【０１０３】
ステップＳ９０４で、上記物理下りリンク制御チャネルにおけるＵｐｌｉｎｋ  Ｓｃｈｅｄｕｌｉｎｇ  Ｇｒａｎｔを受信しない場合（ステップＳ９０４：ＮＯ）、または、ステップＳ９０８で、物理下りリンク制御チャネルにおけるＡｃｋｎｏｗｌｅｇｅｍｅｎｔ  ｉｎｆｏｒｍａｔｉｏｎとしてＮＡＣＫを受信しない（ＡＣＫを受信する）場合（ステップＳ９０８：ＮＯ）に、移動局１００ｎは、当該ユーザデータの再送を一旦停止し、当該ユーザデータのＨＡＲＱプロセス、あるいは、当該ユーザデータのＨＡＲＱ送信タイミングにおいて、新規の送信が割り当てられるまで、当該ユーザデータを保持してもよい。この場合、当該ユーザデータのＨＡＲＱプロセス、あるいは、当該ユーザデータのＨＡＲＱ送信タイミングにおいて、新規の送信が割り当てられる前に、再送を指示するＵｐｌｉｎｋ  Ｓｃｈｅｄｕｌｉｎｇ  Ｇｒａｎｔを受信した場合には、保持されていた、当該ユーザデータの再送を行ってもよい。【０１０４】
図１１を参照しながら、本実施例による基地局装置で使用される通信制御方法について説明する。  
基地局装置２００は、予め決められたＰｅｒｓｉｓｔｅｎｔ  Ｓｃｈｅｄｕｌｉｎｇが適用されるユーザデータの受信タイミング（図４及び図５におけるサブフレーム＃ｉ＋３）において、移動局１００ｎから送信される初回送信のＰｅｒｓｉｓｔｅｎｔ  Ｓｃｈｅｄｕｌｉｎｇが適用されるユーザデータの受信を試み（ステップＳ１００２）、その復号結果がＮＧであるか否かを判定する（ステップＳ１００４）。【０１０５】
上記初回送信のＰｅｒｓｉｓｔｅｎｔ  Ｓｃｈｅｄｕｌｉｎｇが適用されるユーザデータの復号結果がＮＧである場合（ステップＳ１００４：ＹＥＳ）、所定のタイミング（図４及び図５におけるサブフレーム＃ｉ＋６）において、物理下りリンク制御チャネルにより、再送のＰｅｒｓｉｓｔｅｎｔ  Ｓｃｈｅｄｕｌｉｎｇが適用されるユーザデータのためのＵｐｌｉｎｋ  Ｓｃｈｅｄｕｌｉｎｇ  Ｇｒａｎｔを移動局１００ｎに対して送信する（ステップＳ１００６）。【０１０６】
そして、所定のタイミング（例えば、図４におけるサブフレーム＃ｉ＋９）において、再送のＰｅｒｓｉｓｔｅｎｔ  Ｓｃｈｅｄｕｌｉｎｇが適用されるユーザデータの受信を試み、上記再送のＰｅｒｓｉｓｔｅｎｔ  Ｓｃｈｅｄｕｌｉｎｇが適用されるユーザデータの復号結果がＮＧであるか否かを判定する（ステップＳ１００８）。【０１０７】
上記再送のＰｅｒｓｉｓｔｅｎｔ  Ｓｃｈｅｄｕｌｉｎｇが適用されるユーザデータの復号結果がＮＧである場合（ステップＳ１００８：ＹＥＳ）、所定のタイミングにおいて、当該移動局１００ｎに対して物理下りリンク制御チャネルにおけるＡｃｋｎｏｗｌｅｄｇｅｍｅｎｔ  ｉｎｆｏｒｍａｔｉｏｎとしてＮＡＣＫを送信する（ステップＳ１０１０）。ここで、基地局装置２００は、再送のＰｅｒｓｉｓｔｅｎｔ  Ｓｃｈｅｄｕｌｉｎｇが適用されるユーザデータの復号結果がＮＧである場合に、当該移動局１００ｎに対して物理下りリンク制御チャネルにおけるＡｃｋｎｏｗｌｅｄｇｅｍｅｎｔ  ｉｎｆｏｒｍａｔｉｏｎとしてＮＡＣＫを送信したが、代わりに、初回送信のＰｅｒｓｉｓｔｅｎｔ  Ｓｃｈｅｄｕｌｉｎｇが適用されるユーザデータの場合と同様に、当該移動局１００ｎに対して物理下りリンク制御チャネルにおけるＵｐｌｉｎｋ  Ｓｃｈｅｄｕｌｉｎｇ  Ｇｒａｎｔにより、再送のＰｅｒｓｉｓｔｅｎｔ  Ｓｃｈｅｄｕｌｉｎｇが適用されるユーザデータのためのＵｐｌｉｎｋ  Ｓｃｈｅｄｕｌｉｎｇ  Ｇｒａｎｔを送信してもよい。あるいは、基地局装置２００は、再送のＰｅｒｓｉｓｔｅｎｔ  Ｓｃｈｅｄｕｌｉｎｇが適用されるユーザデータの復号結果がＮＧである場合に、物理下りリンク制御チャネルにおけるＡｃｋｎｏｗｌｅｄｇｅｍｅｎｔ  ｉｎｆｏｒｍａｔｉｏｎとしてのＮＡＣＫと、物理下りリンク制御チャネルにおける、再送のＰｅｒｓｉｓｔｅｎｔ  Ｓｃｈｅｄｕｌｉｎｇが適用されるユーザデータのためのＵｐｌｉｎｋ  Ｓｃｈｅｄｕｌｉｎｇ  Ｇｒａｎｔの両方を送信してもよい。【０１０８】
そして、基地局装置２００は、ステップＳ１０１０の処理の後、再びステップＳ１００８の処理を行う。すなわち、所定のタイミングにおいて、再送のＰｅｒｓｉｓｔｅｎｔ  Ｓｃｈｅｄｕｌｉｎｇが適用されるユーザデータの受信を試み、上記再送のＰｅｒｓｉｓｔｅｎｔ  Ｓｃｈｅｄｕｌｉｎｇが適用されるユーザデータの復号結果がＮＧであるか否かを判定する（ステップＳ１００８）。尚、上述したステップＳ１００８とステップＳ１０１０の処理は、ステップＳ１００８において、上記再送のＰｅｒｓｉｓｔｅｎｔ  Ｓｃｈｅｄｕｌｉｎｇが適用されるユーザデータの復号結果がＮＧでないと判定するまで、あるいは、Ｐｅｒｓｉｓｔｅｎｔ  Ｓｃｈｅｄｕｌｉｎｇが適用されるユーザデータの最大再送回数が満了するまで、繰り返し行われる。【０１０９】
一方、上記再送のＰｅｒｓｉｓｔｅｎｔ  Ｓｃｈｅｄｕｌｉｎｇが適用されるユーザデータの復号結果がＮＧでない場合（ステップＳ１００８：ＮＯ）、所定のタイミングにおいて、当該移動局１００ｎに対して物理下りリンク制御チャネルにおけるＡｃｋｎｏｗｌｅｄｇｅｍｅｎｔ  ｉｎｆｏｒｍａｔｉｏｎとしてＡＣＫを送信する（ステップＳ１０１２）。【０１１０】
一方、上記初回送信のＰｅｒｓｉｓｔｅｎｔ  Ｓｃｈｅｄｕｌｉｎｇが適用されるユーザデータの復号結果がＮＧでない場合（ステップＳ１００４：ＮＯ）、あるいは、ステップＳ１０１２の処理の後、終了する。【０１１１】
本実施例によれば、効率の良い、Ｐｅｒｓｉｓｔｅｎｔ  Ｓｃｈｅｄｕｌｉｎｇが適用されるユーザデータに関するＨＡＲＱの処理を行うことのできる基地局装置、移動局、無線通信システム及び通信制御方法を実現することができる。【０１１２】
尚、上述した例においては、ＨＡＲＱのＲｏｕｎｄ  Ｔｒｉｐ  Ｔｉｍｅを６ｍｓである場合に関して説明を行ったが、本発明に係る移動局、基地局装置、移動通信システム及び通信制御方法は、ＨＡＲＱのＲｏｕｎｄ  Ｔｒｉｐ  Ｔｉｍｅが６ｍｓ以外の場合にも適用できることは明らかである。例えば、本発明に係る移動局、基地局装置、移動通信システム及び通信制御方法は、ＨＡＲＱのＲｏｕｎｄ  Ｔｒｉｐ  Ｔｉｍｅが８ｍｓの場合に適用されてもよい。【０１１３】
上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例が説明されたが、本発明に係る移動局、基地局装置、移動通信システム及び通信制御方法は、共有チャネルを用いた通信を行う他のシステムにも適用可能である。【０１１４】
本国際出願は２００７年３月１９日に出願した日本国特許出願２００７−０７１５９４号に基づく優先権を主張するものであり、２００７−０７１５９４号の全内容を本国際出願に援用する。
【図１】
2008120544.tif 000003
【図２】
2008120544.tif 000004
【図３】
2008120544.tif 000005
【図４】
2008120544.tif 000006
【図５】
2008120544.tif 000007
【図６】
2008120544.tif 000008
【図７】
2008120544.tif 000009
【図８】
2008120544.tif 000010
【図９】
2008120544.tif 000011
【図１０】
2008120544.tif 000012
【図１１】
2008120544.tif 000013
【国際調査報告】
2008120544.tif 000014
2008120544.tif 000015